(57)【要約】【課題】容易かつ簡単に、機能に対応した所定時間を計測することができるとともに、現在時刻を知ることができ、かつ目覚まし時計としても利用することができる機能タイマーを提供すること。【解決手段】本発明の機能タイマーは、現在時刻４６又は各機能の残量時間４７、目覚まし時刻４８及び複数の機能マーク２５を表示する表示部２０と、各機能の残量時間４７を計測する機能別タイマー機能５２と、目覚まし時刻４８を計測する目覚ましタイマー機能５７とを備えている。タイマー本体には、機能別タイマー機能５２をスタート又はストップさせるスタート／ストップボタン３と、時間入力ボタン２と、アラーム機能５３とが設けられている。いずれかの機能マーク２５が選択された場合、制御部５５は機能別タイマー機能５２を作動させて、入力した所定時間経過後に、機能別タイマー機能５２からの信号により当該機能マークを動作させるとともに、アラーム機能を作動させる。【選択図】図１
2007333580.tif 000002
【特許請求の範囲】
【請求項１】
タイマー本体と、
タイマー本体に設けられ、少なくとも現在時刻又は各機能の残量時間、目覚まし時刻及び複数の機能マークを表示する表示部と、
タイマー本体に設けられ、各機能マークを選択するセレクトボタンと、
各機能の残量時間を計測する機能別タイマー機能と、
目覚まし時刻を計測する目覚ましタイマー機能と、
タイマー本体に設けられ、機能別タイマー機能をスタート又はストップさせるスタート／ストップボタンと、
タイマー本体に設けられ、現在時刻、各機能に対応する所定時間又は目覚まし時刻を入力する時間入力ボタンと、
各機能に対応する所定時間が経過したこと又は目覚まし時刻になったことを通知するアラーム機能とを備え、
セレクトボタンにより、いずれかの機能マークが選択され、かつ時間入力ボタンで当該機能マークに対応した所定時間が入力され、かつスタート／ストップボタンが入力された場合、制御部は機能別タイマー機能を作動させて、入力した所定時間経過後に、機能別タイマー機能からの信号により当該機能マークを動作させるとともに、アラーム機能を作動させることを特徴とする機能タイマー。
【請求項２】
アラーム機能は、振動することによって所定時間が経過したことを通知する振動アラーム機能と、音を発することによって所定時間が経過したことを通知する音アラーム機能とからなり、
アラーム機能は、タイマー本体に設けられたアラーム機能選択ボタンにより、振動アラーム機能、音アラーム機能、又は振動アラーム機能と音アラーム機能の両機能のうちのいずれかが選択可能となっていることを特徴とする請求項１記載の機能タイマー。
【請求項３】
振動アラーム機能は、大きく振動する大振動機能と、小さく振動する小振動機能とを有することを特徴とする請求項２記載の機能タイマー。
【請求項４】
入力された機能の所定時間は、各機能毎に記憶部に記憶され、
入力された所定時間が経過してアラーム機能が作動しても、制御部は当該所定時間をリセットせず、スタート／ストップボタンが入力された場合、機能別タイマー機能を作動させ、前記所定時間経過後に、機能別タイマー機能からの信号により機能マークを動作させるとともに、アラーム機能を作動させることを特徴とする請求項１記載の機能タイマー。
【請求項５】
入力された機能の所定時間は、各機能毎に記憶部に記憶され、
入力された所定時間が経過する前に、スタート／ストップボタンが入力されて機能別タイマー機能がストップした場合、一定時間経過後にスタート／ストップボタンが再度入力されると、制御部は、機能別タイマー機能を作動させ、前記所定時間経過後に、機能別タイマー機能からの信号により機能マークを動作させるとともに、アラーム機能を作動させることを特徴とする請求項１記載の機能タイマー。
【請求項６】
時間入力ボタンは、時を入力する時入力ボタンと、分を入力する分入力ボタンとを有することを特徴とする請求項１記載の機能タイマー。
【請求項７】
タイマー本体には点灯ボタンが設けられ、
当該点灯ボタンが押圧されると、表示部が点灯することを特徴とする請求項１記載の機能タイマー。
【請求項８】
タイマー本体に、前記各ボタンを入力しても機能しないようにロックするロックスイッチが設けられたことを特徴とする請求項１記載の機能タイマー。
【請求項９】
タイマー本体に、目覚ましタイマー機能の作動状態と非作動状態を切り替える目覚ましＯＮ／ＯＦＦボタンが設けられたことを特徴とする請求項１記載の機能タイマー。
【請求項１０】
タイマー本体に、現在時刻、各機能の残量時間及び目覚まし時刻を初期値に戻すリセットボタンが設けられたことを特徴とする請求項１記載の機能タイマー。
【請求項１１】
タイマー本体に、目覚まし時刻を入力可能な状態にする目覚まし時刻入力切替ボタンが設けられたことを特徴とする請求項１記載の機能タイマー。
【請求項１２】
タイマー本体に、現在時刻を入力可能な状態にする現在時刻入力切替ボタンが設けられたことを特徴とする請求項１記載の機能タイマー。
【発明の詳細な説明】
【技術分野】
【０００１】
本発明は、機能に対応した所定時間を認識することができ、かつ現在時刻を知ることができ、さらに目覚まし時計としても利用することができる機能タイマーに関する。
【背景技術】
【０００２】
母親などは、乳幼児に対して授乳したり、添い寝や寝かしつけたり、トイレトレーニングしたり、投薬を行ったりする時間を認識するために、それぞれの行為を行う時刻を覚えておくか、それぞれの行為に対応する時間を計測する必要がある。
【０００３】
このうち、各種行為を行う時刻を覚えておく方法としては、目覚まし時計を鳴らす方法などがあり、また、各種行為に対応する時間を計測する方法としては、例えば、ストップウォッチを用いて計測する方法などがある。
【発明の開示】
【発明が解決しようとする課題】
【０００４】
しかしながら、母親などは、上述のように、授乳、添い寝や寝かしつけ、トイレトレーニング、投薬といった様々な行為（機能とも言う）を平行して行う必要があるため、複数の目覚まし時計や、複数のストップウォッチを用いる必要がある。
【０００５】
本発明は、このような点を考慮してなされたものであり、容易かつ簡単に、各種機能に対応した所定時間を計測することができるとともに、現在時刻を知ることができ、かつ目覚まし時計としても利用することができる機能タイマーを提供することを目的とする。
【課題を解決するための手段】
【０００６】
本発明は、タイマー本体と、タイマー本体に設けられ、少なくとも現在時刻又は各機能の残量時間、目覚まし時刻及び複数の機能マークを表示する表示部と、タイマー本体に設けられ、各機能マークを選択するセレクトボタンと、各機能の残量時間を計測する機能別タイマー機能と、目覚まし時刻を計測する目覚ましタイマー機能と、タイマー本体に設けられ、機能別タイマー機能をスタート又はストップさせるスタート／ストップボタンと、タイマー本体に設けられ、現在時刻、各機能に対応する所定時間又は目覚まし時刻を入力する時間入力ボタンと、各機能に対応する所定時間が経過したこと又は目覚まし時刻になったことを通知するアラーム機能とを備え、セレクトボタンにより、いずれかの機能マークが選択され、かつ時間入力ボタンで当該機能マークに対応した所定時間が入力され、かつスタート／ストップボタンが入力された場合、制御部は機能別タイマー機能を作動させて、入力した所定時間経過後に、機能別タイマー機能からの信号により当該機能マークを動作させるとともに、アラーム機能を作動させることを特徴とする機能タイマーである。
【０００７】
このような構成により、容易かつ簡単に、機能に対応した所定時間を計測することができるとともに、現在時刻を知ることができ、かつ目覚まし時計としても利用することができる。
【０００８】
本発明は、アラーム機能が、振動することによって所定時間が経過したことを通知する振動アラーム機能と、音を発することによって所定時間が経過したことを通知する音アラーム機能とからなり、アラーム機能が、タイマー本体に設けられたアラーム機能選択ボタンにより、振動アラーム機能、音アラーム機能、又は振動アラーム機能と音アラーム機能の両機能のうちのいずれかが選択可能となっていることを特徴とする機能タイマーである。
【０００９】
このような構成により、機能タイマーの使用場所や使用時間に合わせて、振動アラーム機能、音アラーム機能、又は振動アラーム機能と音アラーム機能の両機能を適宜選択することができる。
【００１０】
本発明は、振動アラーム機能が、大きく振動する大振動機能と、小さく振動する小振動機能とを有することを特徴とする機能タイマーである。
【００１１】
このような構成により、機能タイマーの使用場所や使用時間に合わせて、振動アラーム機能による振動の大きさ（大振動機能と小振動機能）を選択することができる。
【００１２】
本発明は、入力された機能の所定時間が、各機能毎に記憶部に記憶され、入力された所定時間が経過してアラーム機能が作動しても、制御部は当該所定時間をリセットせず、スタート／ストップボタンが入力された場合、機能別タイマー機能を作動させ、前記所定時間経過後に、機能別タイマー機能からの信号により機能マークを動作させるとともに、アラーム機能を作動させることを特徴とする機能タイマーである。
【００１３】
このような構成により、母親などは、所定の機能（授乳、添い寝や寝かしつけ、トイレトレーニング、投薬など）を行った後に、再度、当該機能に対応する所定時間を改めて記憶部に記憶させる必要が無くなるので、より容易かつ確実に、機能に対応する所定時間を計測することができる。
【００１４】
本発明は、入力された機能の所定時間は、各機能毎に記憶部に記憶され、入力された所定時間が経過する前に、スタート／ストップボタンが入力されて機能別タイマー機能がストップした場合、一定時間経過後にスタート／ストップボタンが再度入力されると、制御部は、機能別タイマー機能を作動させ、前記所定時間経過後に、機能別タイマー機能からの信号により機能マークを動作させるとともに、アラーム機能を作動させることを特徴とする機能タイマーである。
【００１５】
このような構成により、母親などは、入力した所定時間が経過する前に、機能別タイマー機能を止めた場合であっても、所定の機能（授乳、添い寝や寝かしつけ、トイレトレーニング、投薬など）を行った後に、再度、当該機能に対応する所定時間を改めて記憶部に記憶させる必要が無くなる。このため、母親などは、より容易かつ確実に、機能に対応する所定時間を計測することができる。
【００１６】
本発明は、時間入力ボタンが、時を入力する時入力ボタンと、分を入力する分入力ボタンとを有することを特徴とする機能タイマーである。
【００１７】
本発明は、タイマー本体には点灯ボタンが設けられ、当該点灯ボタンが押圧されると、表示部が点灯することを特徴とする機能タイマーである。
【００１８】
このような構成により、母親などは、暗い場所でも、機能タイマーを使用することができる。
【００１９】
本発明は、タイマー本体に、前記各ボタンを入力しても機能しないようにロックするロックスイッチが設けられたことを特徴とする機能タイマーである。
【００２０】
このような構成により、母親などが、セレクトボタン、スタート／ストップボタン、時間入力ボタンなどの各ボタンを誤って入力してしまうことを防止することができる。
【００２１】
本発明は、タイマー本体に、目覚ましタイマー機能の作動状態と非作動状態を切り替える目覚ましＯＮ／ＯＦＦボタンが設けられたことを特徴とする機能タイマーである。
【００２２】
本発明は、タイマー本体に、現在時刻、各機能の残量時間及び目覚まし時刻を初期値に戻すリセットボタンが設けられたことを特徴とする機能タイマーである。
【００２３】
本発明は、タイマー本体に、目覚まし時刻を入力可能な状態にする目覚まし時刻入力切替ボタンが設けられたことを特徴とする機能タイマーである。
【００２４】
本発明は、タイマー本体に、現在時刻を入力可能な状態にする現在時刻入力切替ボタンが設けられたことを特徴とする機能タイマーである。
【発明の効果】
【００２５】
本発明によれば、セレクトボタンによって、いずれかの機能マークを選択することで、制御部により機能別タイマー機能を作動させて、入力した所定時間経過後に、機能別タイマー機能からの信号により当該機能マークを動作させるとともに、アラーム機能を作動させることができる。このため、容易かつ簡単に、機能に対応した所定時間を計測することができる機能タイマーを提供することができる。また、本発明の機能タイマーは、現在時刻及び目覚まし時刻を表示する表示部と、目覚まし時刻を特定する目覚ましタイマー機能とを備えているので、母親などは、本発明の機能タイマーによって現在時刻を知ることができ、かつ本発明の機能タイマーを目覚まし時計としても利用することができる。
【発明を実施するための最良の形態】
【００２６】
発明の実施の形態
以下、本発明に係る機能タイマーの実施の形態について、図面を参照して説明する。ここで、図１乃至図９は本発明の実施の形態を示す図である。
【００２７】
図１及び図２に示すように、機能タイマーは、タイマー本体１０と、タイマー本体１０の表面１０ａに設けられ、少なくとも現在時刻４６又は各機能の残量時間４７、目覚まし時刻４８、現在時刻マーク２４及び複数の機能マーク２５を表示する表示部２０と、タイマー本体１０の表面１０ａに設けられ、各機能マークを選択するセレクトボタン１とを備えている。なお、機能の残量時間４７とは、母親などの操作者が、乳幼児に対する授乳、添い寝や寝かしつけ、トイレトレーニング、投薬などの所定の行為（機能とも言う）を行うまでの残り時間のことを意味する。
【００２８】
このうち表示部２０は、図１及び図４に示すように、現在時刻４６又は各機能の残量時間４７を表示する現在時刻／残量時間表示箇所２１と、目覚まし時刻４８を表示する目覚まし時刻表示箇所２３と、現在時刻マーク２４及び複数の機能マーク２５を表示する現在時刻マーク／機能マーク表示箇所２２とを有している。
【００２９】
また、図１及び図４に示すように、複数の機能マーク２５は、授乳マーク２６、睡眠マーク２７、第一機能マーク２８及び第二機能マーク２９からなっている。また、これらの機能マーク２５の側方（図１及び図４の左側）には、現在時刻マーク２４が表示されている。
【００３０】
なお、授乳マーク２６は、後述のように、乳児に対して授乳する時間を計測する際に用いられ、睡眠マーク２７は、乳幼児と添い寝したり、乳幼児を寝かしつけたりする時間を計測する際に用いられる。また、第一機能マーク２８及び第二機能マーク２９は、トイレトレーニング、投薬など、その他の様々な行為（機能）に対応した時間を計測する際に用いられる。
【００３１】
また、図１に示すように、タイマー本体１０の表面１０ａには、機能別タイマー機能５２（図５参照）をスタート又はストップさせるスタート／ストップボタン３と、現在時刻４６、各機能に対応する所定時間（母親などが各機能を行うまでの残量時間）４７又は目覚まし時刻４８を入力するための時間入力ボタン２とが設けられている。
【００３２】
また、図５に示すように、機能タイマーは、各機能の残量時間４７を計測する機能別タイマー機能５２と、目覚まし時刻４８を計測する目覚ましタイマー機能５７と、各機能に対応する所定時間が経過した（残量時間４７がゼロになった）こと又は目覚まし時刻４８になったことを通知するアラーム機能５３とを備えている。
【００３３】
このうち、アラーム機能５３は、タイマー本体１０内に組み込まれている。このアラーム機能５３は、図５に示すように、振動することによって所定時間が経過したことを通知する振動アラーム機能５３ｖと、音を発することによって所定時間が経過したことを通知する音アラーム機能５３ｓとからなっている。そして、図２に示すように、アラーム機能５３は、タイマー本体１０の裏面１０ｂに設けられたアラーム機能選択ボタン１１により、振動アラーム機能５３ｖ、音アラーム機能５３ｓ、又は振動アラーム機能５３ｖと音アラーム機能５３ｓの両機能のうちのいずれかが選択可能となっている（図５参照）。具体的には、図２において、アラーム機能選択ボタン１１が最も左側にあるときには振動アラーム機能５３ｖが作動可能となり、アラーム機能選択ボタン１１が最も右側にあるときには音アラーム機能５３ｓが作動可能となり、アラーム機能選択ボタン１１が真ん中にあるときには振動アラーム機能５３ｖと音アラーム機能５３ｓの両機能が作動可能となる。
【００３４】
また、図５に示すように、振動アラーム機能５３ｖは、大きく振動する大振動機能５３ｖｂと、小さく振動する小振動機能５３ｖｓとを有している。そして、図２に示すように、タイマー本体１０の裏面１０ｂには、大振動機能５３ｖｂと小振動機能５３ｖｓとを選択することができる振動量／音量切替ボタン１４が設けられている。なお、アラーム機能５３として、音アラーム機能５３ｓが選択されている場合には、当該振動量／音量切替ボタン１４によって、大きな音を発する大音量機能５３ｓｂと、小さな音を発する小音量機能５３ｓｓとを選択することができる（図５参照）。すなわち、図２において、振動量／音量切替ボタン１４が右側にあるときには、大振動機能５３ｖｂ（又は大音量機能５３ｓｂ）が作動可能となり、振動量／音量切替ボタン１４が左側にあるときには、小振動機能５３ｖｓ（又は小音量機能５３ｓｓ）が作動可能となる（図５参照）。
【００３５】
また、図２に示すように、タイマー本体１０の裏面１０ｂにはスピーカ１６が設けられており、アラーム機能５３として音アラーム機能５３ｓが選択されている場合（図５参照）には、当該スピーカ１６を介して音が発せられる。
【００３６】
また、図２に示すように、タイマー本体１０の裏面１０ｂの上方には、ストラップなどをかけるためのストラップ用フック１７が設けられている。
【００３７】
また、入力された機能に対応する所定時間は、各機能毎に記憶部５１に記憶されており（図５参照）、この記憶部５１もタイマー本体１０内に組み込まれている。
【００３８】
また、図１に示すように、時間入力ボタン２は、時（hour）を入力する時入力ボタン２ａと、分（minute）を入力する分入力ボタン２ｂとを有している。
【００３９】
また、図１に示すように、タイマー本体１０の表面１０ａには点灯ボタン４が設けられており、母親などが、この点灯ボタン４が押圧すると、表示部２０が点灯する。
【００４０】
また、図２及び図３に示すように、タイマー本体１０の一側面１０ｃには、セレクトボタン１、スタート／ストップボタン３、時間入力ボタン２などの各ボタンを入力しても機能しないようにロックするロックスイッチ３１が設けられている。
【００４１】
また、図２に示すように、タイマー本体１０の裏面１０ｂには、目覚ましタイマー機能５７（図５参照）の作動状態と非作動状態を切り替える目覚ましＯＮ／ＯＦＦボタン１２が設けられている。
【００４２】
また、図２に示すように、タイマー本体１０の裏面１０ｂには、現在時刻４６、各機能の残量時間４７及び目覚まし時刻４８を初期値に戻すリセットボタン３２が設けられている。
【００４３】
また、図２に示すように、タイマー本体１０の裏面１０ｂには、目覚まし時刻４８を入力可能な状態にする目覚まし時刻入力切替ボタン１３が設けられている。
【００４４】
また、図２に示すように、タイマー本体１０の裏面１０ｂには、現在時刻４６を入力可能な状態にする現在時刻入力切替ボタン３３が設けられている。
【００４５】
また、図２に示すように、タイマー本体１０の裏面１０ｂには、電池Ｂを挿入する電池挿入部３６と、後述するようにネジ（図示せず）が挿入されるネジ孔３９とが設けられている。
【００４６】
また、図２及び図３に示すように、タイマー本体１０の裏面１０ｂには、リセットボタン３２、現在時刻入力切替ボタン３３及び電池挿入部３６を覆う裏蓋５０が設けられている。なお、この裏蓋５０は、裏蓋５０に設けられたネジ孔５９と、タイマー本体１０の裏面１０ｂに設けられたネジ孔３９に、ネジ（図示せず）を挿通することによって固定される。
【００４７】
また、図１及び図４に示すように、表示部２０には、ロックされた場合に表示されるロックマーク４１と、アラーム機能選択ボタン１１により振動アラーム機能５３ｖが選択された場合に表示される振動アラームマーク４３と、アラーム機能選択ボタン１１により音アラーム機能５３ｓが選択された場合に表示される音アラームマーク４２と、目覚ましタイマー機能５７が作動状態になった場合に表示される目覚まし機能マーク４４とが表示可能となっている（図２及び図５参照）。なお、アラーム機能選択ボタン１１により、振動アラーム機能５３ｖと音アラーム機能５３ｓの両機能が選択された場合には、振動アラームマーク４３と音アラームマーク４２の両方が表示部２０に表示される（図２及び図５参照）。
【００４８】
なお、タイマー本体１０内には、後述のように制御部５５が内蔵されている。母親などが、タイマー本体１０に設けられたセレクトボタン１、時間入力ボタン２、スタート／ストップボタン３を操作することにより、制御部５５は、機能別タイマー機能５２を作動させて、機能マーク２５を動作させるとともに、アラーム機能５３を作動させるようになっている（図５参照）。
【００４９】
次に、このような構成からなる本実施の形態の作用について述べる。
【００５０】
〈機能別に時間を計測する方法〉
最初に、授乳、添い寝や寝かしつけ、トイレトレーニング、投薬などの機能別に、時間を計測する方法について説明する。
【００５１】
まず、母親などの操作者が、通常状態では現在時刻マーク２４の下方に位置している三角印４９を、セレクトボタン１を押圧することにより移動させ、授乳マーク２６、睡眠マーク２７、第一機能マーク２８及び第二機能マーク２９のうちのいずれかの機能マーク２５を選択する（機能選択工程６１）（図１、図４及び図６参照）。このように、セレクトボタン１を押圧するだけで、機能マーク２５を選択することができるため、機能に対応した所定の時間を、容易に計測することができる。
【００５２】
なお、表示部２０の現在時刻／残量時間表示箇所２１には、現在時刻マーク２４、授乳マーク２６、睡眠マーク２７、第一機能マーク２８及び第二機能マーク２９のうち、三角印４９に対応する現在時刻４６又は残量時間４７が表示される（図１及び図４参照）。例えば、三角印４９が現在時刻マーク２４の下方に位置している場合には、現在時刻／残量時間表示箇所２１には現在時刻４６が表示され、三角印４９が授乳マーク２６の下方に位置している場合には、現在時刻／残量時間表示箇所２１には、母親などが乳児に授乳するために計測している残量時間４７が表示される。
【００５３】
また、上述のように授乳マーク２６は、乳児に授乳する時間を計測する際に用いられ、睡眠マーク２７は、乳幼児と添い寝したり、乳幼児を寝かしつけたりする際に用いられる。また、第一機能マーク２８及び第二機能マーク２９は、トイレトレーニング、投薬などの様々な機能に対応した時間を計測する際に用いられる。
【００５４】
次に、母親などが、時間入力ボタン２で機能マーク２５に対応した所定時間を入力する（時間入力工程６２）（図１、図４及び図６参照）。具体的には、母親などが、時入力ボタン２ａによって時（hour）を入力し、分入力ボタン２ｂによって分（minute）を入力する。このとき、制御部５５は、記憶部５１に、時間入力ボタン２によって入力された所定時間を記憶させる（図５参照）。
【００５５】
次に、母親などが、スタート／ストップボタン３を入力する。このことによって、制御部５５が、機能別タイマー機能５２を作動させる（スタート工程７１）（図１、図５及び図６参照）。
【００５６】
そして、入力した所定時間経過後に、制御部５５が、機能別タイマー機能５２からの信号により機能マーク２５を点滅させるとともに、アラーム機能５３を作動させる（アラーム工程７２）（図５及び図６参照）。このように、アラーム機能５３が作動する際に、機能マーク２５が点滅（動作）するので、母親などは、どの機能（授乳、添い寝や寝かしつけ、トイレトレーニング、投薬など）を行わなければならないか、容易に判断することができる。
【００５７】
次に、母親などが、スタート／ストップボタン３を入力する。このことによって、制御部５５が、アラーム機能５３を停止させる（アラーム停止工程７５）（図５及び図６参照）。
【００５８】
次に、母親などが、点滅している機能マーク２５に対応する機能（授乳、添い寝や寝かしつけ、トイレトレーニング、投薬など）を行う（機能実施工程８１）（図６参照）。
【００５９】
ところで、上述のように入力された所定時間が経過してアラーム機能５３が作動し（アラーム工程７２）、アラーム機能５３を停止させ（アラーム停止工程７５）ても、制御部５５は、記憶部５１に記憶された所定時間をリセットしない（図５及び図６参照）。
【００６０】
このため、機能実施工程８１の後、母親などが、後述のように記憶部５１に記憶された所定時間と異なる所定時間を入力することなく、スタート／ストップボタン３を改めて入力すると、制御部５５は、記憶部５１に記憶された所定時間に基づいて機能別タイマー機能５２を作動させる（リピート）させる（スタート工程７１）（図５及び図６参照）。
【００６１】
従って、母親などは、所定の機能（授乳、添い寝や寝かしつけ、トイレトレーニング、投薬など）を行った後に、再度、当該機能に対応する所定時間を改めて記憶部５１に記憶させる必要が無い。このため、母親などは、容易かつ確実に、機能に対応する所定時間を計測することができる。
【００６２】
他方、機能実施工程８１の後、母親などが、記憶部５１に記憶された所定時間と異なる所定時間を入力し（変更時間入力工程６２ａ）、その後、スタート／ストップボタン３を入力すると、制御部５５は、記憶部５１に新たに記憶された所定時間に基づいて機能別タイマー機能５２を作動させる（スタート工程７１）（図５及び図６参照）。
【００６３】
この後の工程は、上述した工程（アラーム工程７２、アラーム停止工程７５、機能実施工程８１など）を、順次行う（図６参照）。
【００６４】
なお、上記では、一機能に対する所定時間を計測する態様を用いて説明したが、これに限ることなく、複数（本実施の形態では４つ）の機能に対する所定時間を、同時に平行して計測することができる。
【００６５】
〈機能別タイマー機能を途中で停止させた場合〉
次に、母親などが、スタート工程７１の後、アラーム工程７２の前に、スタート／ストップボタン３を入力して機能別タイマー機能５２を途中で停止させた場合について説明する。
【００６６】
まず、母親などの操作者が、セレクトボタン１により、いずれかの機能マーク２５を選択する（機能選択工程６１）（図１、図４及び図７参照）。
【００６７】
次に、母親などが、時間入力ボタン２で機能マーク２５に対応した所定時間を入力する（時間入力工程６２）（図１、図４及び図７参照）。
【００６８】
次に、母親などが、スタート／ストップボタン３を入力する。このことによって、制御部５５が、機能別タイマー機能５２を作動させる（スタート工程７１）（図１及び図７参照）。
【００６９】
次に、入力した所定時間が経過する前であっても、所定の機能を行う時間になっていると母親などが判断した場合には、スタート／ストップボタン３を入力して機能別タイマー機能５２をストップさせる（実質ストップ工程７４ｔ）（図１及び図７参照）。
【００７０】
次に、母親などが、点滅している機能マーク２５に対応する機能（授乳、添い寝や寝かしつけ、トイレトレーニング、投薬など）を行う（機能実施工程８１）（図７参照）。
【００７１】
機能を実施した後（スタート／ストップボタン３を入力して機能別タイマー機能５２をストップさせてから一定時間（例えば、３０秒）経過後）に、スタート／ストップボタン３を再度入力すると、制御部５５が、記憶部５１に記憶された所定時間に基づいて機能別タイマー機能５２を作動させる（スタート工程７１）（図１、図５及び図７参照）。
【００７２】
後は、上述した実質ストップ工程７４ｔ及び機能実施工程８１を順次行うか、後述する誤解ストップ工程７４ｆ、再スタート工程７１ｒ、アラーム工程７２、アラーム停止工程７５及び機能実施工程８１を順次行う（図７参照）。
【００７３】
このように、入力した所定時間が経過する前に、機能別タイマー機能５２を止めた場合であっても、一定時間（例えば、３０秒）経過後にスタート／ストップボタン３を再度入力すると、制御部５５が、記憶部５１に記憶された所定時間に基づいて機能別タイマー機能５２を作動（リピート）させる。このため、母親などが、所定の機能（授乳、添い寝や寝かしつけ、トイレトレーニング、投薬など）を行った後に、再度、当該機能に対応する所定時間を改めて記憶部５１に記憶させる必要が無い。この結果、母親などは、容易かつ確実に、機能に対応する所定時間を計測することができる。
【００７４】
他方、入力した所定時間が経過する前に、誤ってスタート／ストップボタン３を入力して機能別タイマー機能５２をストップさせた（誤解ストップ工程７４ｆ）場合であっても、母親などが、一定時間（例えば、３０秒）経過前にスタート／ストップボタン３を再度入力することによって、制御部５５は、機能別タイマー機能５２に対して、所定時間のうち残った時間を計測させる（再スタート工程７１ｒ）（図１、図５及び図７参照）。
【００７５】
そして、入力した残った時間が経過すると、制御部５５が、機能別タイマー機能５２からの信号により機能マーク２５を点滅させるとともに、アラーム機能５３を作動させる（アラーム工程７２）（図５及び図７参照）。
【００７６】
次に、母親などが、スタート／ストップボタン３を入力する。このことによって、制御部５５が、アラーム機能５３を停止させる（アラーム停止工程７５）（図１、図５及び図７参照）。
【００７７】
次に、母親などが、点滅している機能マーク２５に対応する機能（授乳、添い寝や寝かしつけ、トイレトレーニング、投薬など）を行う（機能実施工程８１）（図７参照）。
【００７８】
後は、上述したスタート工程７１、実質ストップ工程７４ｔ及び機能実施工程８１を順次行うか、又はスタート工程７１、誤解ストップ工程７４ｆ、再スタート工程７１ｒ、アラーム工程７２、アラーム停止工程７５及び機能実施工程８１を順次行う（図７参照）。
【００７９】
〈現在時刻を合わせる方法〉
次に、現在時刻４６を合わせる方法について説明する。
【００８０】
まず、母親などが、タイマー本体１０の裏面１０ｂに設けられた現在時刻入力切替ボタン３３を入力する（図２参照）。このことによって、制御部５５が、現在時刻４６を入力することができる状態に切り替える（現在時刻入力切替工程８５）（図８参照）。
【００８１】
次に、母親などが、時間入力ボタン２で現在時刻４６を入力する（現在時刻入力工程８６）（図１及び図８参照）。具体的には、母親などが、時入力ボタン２ａによって時（hour）を入力し、分入力ボタン２ｂによって分（minute）を入力する。
【００８２】
次に、母親などが、現在時刻入力切替ボタン３３を入力する。このことによって、制御部５５が、入力された現在時刻４６を記憶部５１に記憶させる（現在時刻記憶工程８７）とともに、表示部２０の現在時刻／残量時間表示箇所２１に当該現在時刻４６を表示する（現在時刻表示工程８８）（図１、図５及び図８参照）。
【００８３】
〈目覚ましタイマー機能によって、所定の時刻にアラーム機能を作動させる方法〉
次に、目覚ましタイマー機能によって、所定の時刻にアラーム機能を作動させる方法について説明する。
【００８４】
まず、母親などが、タイマー本体１０の裏面１０ｂに設けられた目覚まし時刻入力切替ボタン１３を入力する（図２参照）。このことによって、制御部５５が、目覚まし時刻４８を入力することができる状態に切り替える（目覚まし時刻入力切替工程９５）（図９参照）。
【００８５】
次に、母親などが、時間入力ボタン２で目覚まし時刻４８を入力する（目覚まし時刻入力工程９６）（図１及び図９参照）。具体的には、母親などが、時入力ボタン２ａによって時（hour）を入力し、分入力ボタン２ｂによって分（minute）を入力する。
【００８６】
次に、母親などが、目覚まし時刻入力切替ボタン１３を入力する。このことによって、制御部５５が、入力された目覚まし時刻４８に応じて目覚ましタイマー機能５７を作動させる（目覚ましタイマー作動工程９７）とともに、表示部２０の目覚まし時刻表示箇所２３に当該目覚まし時刻４８を表示する（目覚まし時刻表示工程９８）（図１、図５及び図９参照）。
【００８７】
そして、現在時刻４６が入力された目覚まし時刻４８になると、制御部５５が、目覚ましタイマー機能５７からの信号によりアラーム機能５３を作動させる（アラーム工程７２）（図５及び図９参照）。
【００８８】
次に、母親などが、スタート／ストップボタン３を入力する。このことによって、制御部５５が、アラーム機能５３を停止させる（アラーム停止工程７５）（図１、図５及び図７参照）。このようにして、母親などは、所定時刻に目覚めることができる。
【００８９】
次に、本実施の形態の機能タイマーに関して、上述した以外の作用効果について説明する。
【００９０】
図２に示すように、タイマー本体１０の裏面１０ｂには振動量／音量切替ボタン１４が設けられている。このため、機能タイマーの使用場所や使用時間に合わせて、振動量／音量切替ボタン１４を切り替えることによって、音アラーム機能５３ｓによる音の大きさ（大音量機能５３ｓｂと小音量機能５３ｓｓ）や、振動アラーム機能５３ｖによる振動の大きさ（大振動機能５３ｖｂと小振動機能５３ｖｓ）を適宜選択することができる。
【００９１】
また、図２に示すように、タイマー本体１０の裏面１０ｂに設けられたアラーム機能選択ボタン１１により、振動アラーム機能５３ｖ、音アラーム機能５３ｓ、又は振動アラーム機能５３ｖと音アラーム機能５３ｓの両機能のうちのいずれかを選択することができる。このため、機能タイマーの使用場所や使用時間に合わせて、振動アラーム機能５３ｖ、音アラーム機能５３ｓ、又は振動アラーム機能５３ｖと音アラーム機能５３ｓの両機能を適宜選択することができる。
【００９２】
また、図２及び図３に示すように、タイマー本体１０の一側面１０ｃには、セレクトボタン１、スタート／ストップボタン３、時間入力ボタン２などの各ボタンを入力しても機能しないようにロックするロックスイッチ３１が設けられている。このため、母親などが、誤って、セレクトボタン１、スタート／ストップボタン３、時間入力ボタン２などを入力してしまうことを防止することができる。
【００９３】
また、図２に示すように、目覚ましタイマー機能５７の作動状態と非作動状態を切り替える目覚ましＯＮ／ＯＦＦボタン１２が設けられているので、必要な場合にのみ、目覚ましタイマー機能５７を作動させることができる。
【００９４】
また、図１に示すように、タイマー本体１０の表面１０ａには、押圧すると表示部２０が点灯する点灯ボタン４が設けられているので、母親などは、暗い場所でも、機能タイマーを使用することができる。
【図面の簡単な説明】
【００９５】
【図１】本発明による機能タイマーの実施の形態における表面を示す平面図。
【図２】本発明による機能タイマーの実施の形態における裏面を示す平面図。
【図３】本発明による機能タイマーの実施の形態における側面を示す側方図。
【図４】本発明による機能タイマーの実施の形態における表示部を示す拡大図。
【図５】本発明による機能タイマーの実施の形態における制御方法を示すブロック図。
【図６】本発明の実施の形態による機能タイマーを用いて、機能別に時間を計測する方法を示すフロー図。
【図７】本発明の実施の形態による機能タイマーを用いて、機能別に時間を計測する方法で、機能別タイマー機能を途中で停止させた場合を示すフロー図。
【図８】本発明の実施の形態による機能タイマーを用いて、現在時刻を合わせる方法を示すフロー図。
【図９】本発明の実施の形態による機能タイマーを用いて、目覚まし時刻を計測する方法を示すフロー図。
【符号の説明】
【００９６】
１    セレクトボタン
２    時間入力ボタン
２ａ  時入力ボタン
２ｂ  分入力ボタン
３    スタート／ストップボタン
４    点灯ボタン
１０  タイマー本体
１１  アラーム機能選択ボタン
１２  目覚ましＯＮ／ＯＦＦボタン
１３  目覚まし時刻入力切替ボタン
２０  表示部
２４  現在時刻マーク
２５  機能マーク
２６  授乳マーク
３１  ロックスイッチ
３２  リセットボタン
３３  現在時刻入力切替ボタン
５１  記憶部
５２  機能別タイマー機能
５３  アラーム機能
５３ｓ  音アラーム機能
５３ｓｓ  小音量機能
５３ｓｂ  大音量機能
５３ｖ  振動アラーム機能
５３ｖｓ  小振動機能
５３ｖｂ  大振動機能
５５  制御部
【図１】
2007333580.tif 000003
【図２】
2007333580.tif 000004
【図３】
2007333580.tif 000005
【図４】
2007333580.tif 000006
【図５】
2007333580.tif 000007
【図６】
2007333580.tif 000008
【図７】
2007333580.tif 000009
【図８】
2007333580.tif 000010
【図９】
2007333580.tif 000011